(57)【要約】【課題】携帯電話機の充電中に電流を消費する機能が実行された場合であっても、充電時間の延長を防止する。【解決手段】携帯電話機１の電源１４に充電を行っている間に、他の通信機器と通信を行うための通信系統機器６ａ及び他の通信機器との通信以外の機能を実行する非通信系統機器７ａが作動している場合には、その作動に要した消費電流を電源１４に供給する充電電流に加算する。【選択図】　　図１
2004032304.tif 000002
【特許請求の範囲】
【請求項１】
携帯電話機の電源に充電を行っている間に、他の通信機器と通信を行うための通信系統機器及び他の通信機器との通信以外の機能を実行する非通信系統機器の少なくとも何れか一方が作動している場合には、その作動に要した消費電流を前記電源に供給する充電電流に加算するものである携帯電話機の充電制御装置。
【請求項２】
他の通信機器と通信を行うための通信系統機器と、
他の通信機器との通信以外の機能を実行する非通信系統機器と、
前記通信系統機器の動作を制御する第一制御部と、
前記非通信系統機器の動作を制御する第二制御部と、
前記通信系統機器及び前記非通信系統機器に電流を供給する電源と、
を備える携帯電話機に用いる充電制御装置であって、
前記充電制御装置は、前記電源に対して充電を行う充電回路を備え、
前記充電回路は、前記第一制御部及び前記第二制御部から、前記通信系統機器及び前記非通信系統機器の動作状況を示す動作状況信号を受信し、前記動作状況信号に基づいて前記通信系統機器及び前記非通信系統機器における消費電流を推定し、推定された消費電流を前記電源に供給する電流に加算するものである携帯電話機の充電制御装置。
【請求項３】
前記充電回路は、前記通信系統機器及び前記非通信系統機器の各動作に対応して予め定められた動作レベルに対応する消費電流を示すテーブルを備えており、前記充電回路は前記テーブルを参照して、前記消費電流を推定することを特徴とする請求項２に記載の携帯電話機の充電制御装置。
【請求項４】
前記充電回路は、
前記電源の電圧を検出する電圧検出手段と、
充電時における充電電流を検出する充電電流検出手段と、
前記動作状況信号を受信し、前記動作状況信号に基づいて前記充電電流を制御する充電電流制御手段と、
定電流充電を行うときに充電電流を制御する定電流充電制御手段と、
定電圧充電を行うときに充電電圧を制御する定電圧充電制御手段と、
を備えることを特徴とする請求項２または３に記載の携帯電話機の充電制御装置。
【請求項５】
前記充電回路は、前記第一制御部及び前記第二制御部の少なくとも一方に対して、前記通信系統機器及び前記非通信系統機器の各動作状況を確認するための動作状況確認信号を送信し、
前記第一制御部及び前記第二制御部は前記動作状況確認信号を受信した後、前記通信系統機器及び前記非通信系統機器の各動作状況を示す動作状況報告信号を前記充電回路に送信し、
前記充電回路は、前記通信系統機器及び前記非通信系統機器の各動作状況に変化がないことが確認された場合には、一定時間後に、前記動作状況確認信号を再送信することを特徴とする請求項１乃至４の何れか一項に記載の携帯電話機の充電制御装置。
【請求項６】
前記充電回路は、前記第一制御部及び前記第二制御部の少なくとも一方に対して、前記通信系統機器及び前記非通信系統機器の各動作状況を確認するための動作状況確認信号を一回のみ送信し、
前記第一制御部及び前記第二制御部は前記動作状況確認信号を受信した後、前記通信系統機器及び前記非通信系統機器の各動作状況に変化があった場合のみ、前記動作状況を示す動作状況報告信号を前記充電回路に送信することを特徴とする請求項１乃至４の何れか一項に記載の携帯電話機の充電制御装置。
【請求項７】
請求項１乃至６の何れか一項に記載の充電制御装置を搭載した携帯電話機。
【請求項８】
他の通信機器と通信を行うための通信系統機器と、
他の通信機器との通信以外の機能を実行する非通信系統機器と、
前記通信系統機器の動作を制御する第一制御部と、
前記非通信系統機器の動作を制御する第二制御部と、
前記通信系統機器及び前記非通信系統機器に電流を供給する電源と、
前記電源に対して充電を行う充電回路と、
を備える携帯電話機における充電制御方法であって、
前記充電回路が、前記第一制御部及び前記第二制御部の少なくとも一方に対して、前記通信系統機器及び前記非通信系統機器の各動作状況を確認するための動作状況確認信号を送信する第一の過程と、
前記第一制御部及び前記第二制御部が、前記通信系統機器及び前記非通信系統機器の各動作状況を示す動作状況報告信号を前記充電回路に送信する第二の過程と、
前記動作状況報告信号に示される動作状況が以前の動作状況と比較して変化している場合に、前記充電回路が前記電源に供給する充電電流の増減量を決定する第三の過程と、
前記増減量を加えた充電電流を前記電源に供給する第四の過程と、
を備える携帯電話機における充電制御方法。
【請求項９】
前記充電回路は、前記通信系統機器及び前記非通信系統機器の各動作に対応して予め定められた動作レベルに対応する消費電流を示すテーブルを備えており、前記充電回路は、前記第三の過程において、前記テーブルを参照して、前記消費電流の増減量を決定することを特徴とする請求項８に記載の携帯電話機の充電制御方法。
【請求項１０】
前記充電回路は、前記第二の過程において前記第一制御部及び前記第二制御部から受信した前記動作状況確認信号により、前記通信系統機器及び前記非通信系統機器の各動作状況に変化がないことが確認された場合には、一定時間後に、前記動作状況確認信号を再送信する過程を備えることを特徴とする請求項８または９に記載の携帯電話機の充電制御方法。
【請求項１１】
前記充電回路は、前記第一の過程において、前記動作状況確認信号を一回のみ送信し、
前記第一制御部及び前記第二制御部は前記動作状況確認信号を受信した後、前記通信系統機器及び前記非通信系統機器の各動作状況に変化があった場合のみ、前記第二の過程において、前記動作状況報告信号を前記充電回路に送信することを特徴とする請求項８または９に記載の携帯電話機の充電制御方法。
【発明の詳細な説明】
【０００１】
【発明の属する技術分野】
本発明は、携帯電話機に行う充電を制御する充電制御装置及び充電制御方法に関する。
【０００２】
【従来の技術】
図７は、従来の携帯電話機の一構成例を示すブロック図である。
【０００３】
図７に示した従来の携帯電話機１０１は、音声データ及び通信データを送受信するアンテナ１０２と、音声データまたは通信データの送受信を行う無線送受信部１０３と、音声データの処理を行うベースバンド処理部１０４と、受話器及び送話器１０５と、これらの通信系統機器１０３、１０４、１０５の制御を行う通信系統制御部１０６と、音楽再生やゲームなどの非通信系統のアプリケーションデバイス１０８と、各種データを入力するためのキーその他の入力手段からなるデータ入力部１０９と、液晶表示装置その他の表示手段からなる表示部１１０と、データを記憶しておくためのメモリ１１１と、着信音を鳴らすスピーカ１１２と、これらの非通信系統機器１０８、１０９、１１０、１１１の制御を行う非通信系統制御部１０７と、通信系統機器及び非通信系統機器の各ブロックに対して電流を供給を行う電源制御回路１１３と、電源制御回路１１３に対して電流を供給する電池パック１１４と、電池パック１１４への充電を行う充電回路１１５と、から構成されている。
【０００４】
電池パック１１４にはリチウムイオン電池が収納されている。
【０００５】
携帯電話機１０１に対して充電を行うときは、充電回路１１５に充電器１１６が接続される。
【０００６】
図中の太線の矢印は電流の流れを、細線の矢印は信号の流れをそれぞれ示している。
【０００７】
図７に示した従来の携帯電話機１０１において、電池パック１１４の電池容量が不足し、電池パック１１４に対して充電を行う場合には、先ず、充電器１１６が充電回路１１５に接続される。充電器１１６の接続をトリガーとして、充電回路１１５は電池パック１１４内のリチウムイオン電池の電圧を検出し、充電を開始する。
【０００８】
図８（Ａ）は充電時間Ｔと充電電流ＩＣＨＧとの関係を示すグラフであり、図８（Ｂ）は充電時間Ｔと充電電圧ＶＣＨＧとの関係を示すグラフである。
【０００９】
図８（Ａ）に示すように、充電開始の当初は、電池パック１１４の電圧が規定の電圧値になるまで、定電流充電により充電が行われる。この定電流充電により充電の間、図８（Ｂ）に示すように、電池パック１１４の電圧は徐々に上昇する。
【００１０】
電池パック１１４の電圧が規定の電圧Ｖａに達した後においては、図８（Ａ）に示すように、電圧Ｖａを維持しながら（図８（Ｂ）参照）、充電電流値が減少していく定電圧充電が行われる。電池パック１１４の規定の電圧Ｖａは、一般的には、４．１Ｖまたは４．２Ｖである。
【００１１】
定電圧充電が進むと、充電電流値が減少していき、所定の電流値以下になると充電が完了する。
【００１２】
従来の携帯電話機１０１の充電方法によれば、定電流充電における充電電流値は、充電ラインに対して直列に接続された定抵抗間の電位差を基準電圧として、一意的に決められている。
【００１３】
【発明が解決しようとする課題】
今日、携帯電話機は高性能化及び多機能化が進み、その電力消費量も増大の一途をたどっている。
【００１４】
特に、今日の携帯電話機には、本来の通信機能の他に、音楽を再生する機能、ゲームを行う機能、ディジタル写真を撮像する機能など種々の機能が付加されている。これらの機能はいずれも多くの電流を消費する。
【００１５】
図９は、電池パック１１４の充電中にゲーム、音楽再生などの高い消費電力機能を動作させた場合における充電電流と充電時間Ｔとの関係を示すグラフである。
【００１６】
上述のように、従来の充電方法においては、定抵抗に流れる電流値ＩＣＨＧ（実線１２０）は常に一定である。
【００１７】
これに対して、ゲーム、音楽再生などの高い消費電力機能は電流値ＩＤＤ（一点鎖線１４０）を消費するものとする。
【００１８】
このため、電池パック１１４の充電中にゲーム、音楽再生などといった高い消費電力機能を動作させた場合、充電電流ＩＣＨＧの一部はこれらの機能を実行するための電流として消費されるため、実際に電池パック１１４に供給される電流ＩＣＨＧａの値は、定抵抗に流れる電流値ＩＣＨＧ（実線１２０）からゲームなどの機能が消費する電流値ＩＤＤ（一点鎖線１４０）を差し引いた値（点線１３０）になる。
【００１９】
この結果として、電池パック１１４への充電量は少なくなり、その分、充電時間は長くなる。
【００２０】
本発明は、このような従来の携帯電話機の充電方法における問題点に鑑みてなされたものであり、携帯電話機の充電中に電流を消費する機能が実行された場合であっても、充電時間の延長を防止することができる携帯電話機の充電制御装置及び携帯電話機の充電制御方法を提供することを目的とする。
【００２１】
【課題を解決するための手段】
この目的を達成するため、本発明は、携帯電話機の電源に充電を行っている間に、他の通信機器と通信を行うための通信系統機器及び他の通信機器との通信以外の機能を実行する非通信系統機器の少なくとも何れか一方が作動している場合には、その作動に要した消費電流を前記電源に供給する充電電流に加算するものである携帯電話機の充電制御装置を提供する。
【００２２】
さらに、本発明は、他の通信機器と通信を行うための通信系統機器と、他の通信機器との通信以外の機能を実行する非通信系統機器と、前記通信系統機器の動作を制御する第一制御部と、前記非通信系統機器の動作を制御する第二制御部と、前記通信系統機器及び前記非通信系統機器に電流を供給する電源と、を備える携帯電話機に用いる充電制御装置であって、前記充電制御装置は、前記電源に対して充電を行う充電回路を備え、前記充電回路は、前記第一制御部及び前記第二制御部から、前記通信系統機器及び前記非通信系統機器の動作状況を示す動作状況信号を受信し、前記動作状況信号に基づいて前記通信系統機器及び前記非通信系統機器における消費電流を推定し、推定された消費電流を前記電源に供給する電流に加算するものである携帯電話機の充電制御装置を提供する。
【００２３】
前記充電回路は、例えば、前記通信系統機器及び前記非通信系統機器の各動作に対応して予め定められた動作レベルに対応する消費電流を示すテーブルを備えることができ、前記充電回路は前記テーブルを参照して、前記消費電流を推定することができる。
【００２４】
前記充電回路は、例えば、前記電源の電圧を検出する電圧検出手段と、充電時における充電電流を検出する充電電流検出手段と、前記動作状況信号を受信し、前記動作状況信号に基づいて前記充電電流を制御する充電電流制御手段と、定電流充電を行うときに充電電流を制御する定電流充電制御手段と、定電圧充電を行うときに充電電圧を制御する定電圧充電制御手段と、を備えるものとして構成することができる。
【００２５】
例えば、前記充電回路は、前記第一制御部及び前記第二制御部の少なくとも一方に対して、前記通信系統機器及び前記非通信系統機器の各動作状況を確認するための動作状況確認信号を送信し、前記第一制御部及び前記第二制御部は前記動作状況確認信号を受信した後、前記通信系統機器及び前記非通信系統機器の各動作状況を示す動作状況報告信号を前記充電回路に送信し、前記充電回路は、前記通信系統機器及び前記非通信系統機器の各動作状況に変化がないことが確認された場合には、一定時間後に、前記動作状況確認信号を再送信する。
【００２６】
例えば、前記充電回路は、前記第一制御部及び前記第二制御部の少なくとも一方に対して、前記通信系統機器及び前記非通信系統機器の各動作状況を確認するための動作状況確認信号を一回のみ送信し、前記第一制御部及び前記第二制御部は前記動作状況確認信号を受信した後、前記通信系統機器及び前記非通信系統機器の各動作状況に変化があった場合のみ、前記動作状況を示す動作状況報告信号を前記充電回路に送信する。
【００２７】
また、本発明は、他の通信機器と通信を行うための通信系統機器と、他の通信機器との通信以外の機能を実行する非通信系統機器と、前記通信系統機器の動作を制御する第一制御部と、前記非通信系統機器の動作を制御する第二制御部と、前記通信系統機器及び前記非通信系統機器に電流を供給する電源と、前記電源に対して充電を行う充電回路と、を備える携帯電話機における充電制御方法であって、前記充電回路が、前記第一制御部及び前記第二制御部の少なくとも一方に対して、前記通信系統機器及び前記非通信系統機器の各動作状況を確認するための動作状況確認信号を送信する第一の過程と、前記第一制御部及び前記第二制御部が、前記通信系統機器及び前記非通信系統機器の各動作状況を示す動作状況報告信号を前記充電回路に送信する第二の過程と、前記動作状況報告信号に示される動作状況が以前の動作状況と比較して変化している場合に、前記充電回路が前記電源に供給する充電電流の増減量を決定する第三の過程と、前記増減量を加えた充電電流を前記電源に供給する第四の過程と、を備える携帯電話機における充電制御方法を提供する。
【００２８】
前記充電回路は、例えば、前記通信系統機器及び前記非通信系統機器の各動作に対応して予め定められた動作レベルに対応する消費電流を示すテーブルを備えており、前記充電回路は、前記第三の過程において、前記テーブルを参照して、前記消費電流の増減量を決定することができる。
【００２９】
本方法は、前記充電回路が、前記第二の過程において前記第一制御部及び前記第二制御部から受信した前記動作状況確認信号により、前記通信系統機器及び前記非通信系統機器の各動作状況に変化がないことが確認された場合には、一定時間後に、前記動作状況確認信号を再送信する過程を備えることが好ましい。
【００３０】
例えば、前記充電回路は、前記第一の過程において、前記動作状況確認信号を一回のみ送信し、前記第一制御部及び前記第二制御部は前記動作状況確認信号を受信した後、前記通信系統機器及び前記非通信系統機器の各動作状況に変化があった場合のみ、前記第二の過程において、前記動作状況報告信号を前記充電回路に送信するようにすることができる。
【００３１】
【発明の実施の形態】
図１は、本発明の第一の実施形態に係る充電制御装置を搭載した携帯電話機１の構造を示すブロック図である。
【００３２】
携帯電話機１は、音声データ及び通信データを送受信するアンテナ２と、音声データまたは通信データの送受信を行う無線送受信部３と、音声データの処理を行うベースバンド処理部４と、受話器及び送話器５と、これらの通信系統機器３、４、５の制御を行う通信系統制御部６と、音楽再生やゲームなどの非通信系統のアプリケーションデバイス８と、各種データを入力するためのキーその他の入力手段からなるデータ入力部９と、液晶表示装置その他の表示手段からなる表示部１０と、データを記憶しておくためのメモリ１１と、着信音を鳴らすスピーカ１２と、これらの非通信系統機器８、９、１０、１１の制御を行う非通信系統制御部７と、通信系統機器及び非通信系統機器の各ブロックに対して電流を供給を行う電源制御回路１３と、電源制御回路１３に対して電流を供給する電池パック１４と、電池パック１４への充電を行う、本発明の第一の実施形態に係る充電制御装置としての充電回路１５と、から構成されている。
【００３３】
電池パック１４にはリチウムイオン電池が収納されている。
【００３４】
携帯電話機１に対して充電を行うときは、充電回路１５に充電器１６が接続される。
【００３５】
充電回路１５は、電池パック１４の電池電圧をモニタする電池電圧検出手段１５１と、充電時の充電電流のモニタを行う充電電流検出手段１５２と、通信系統制御部６と非通信系統制御部７から送信される通信系統機器及び非通信系統機器の動作状況の情報に基づいて、充電電流の制御と選択を行う充電電流制御手段１５３と、定電流充電の制御を行う定電流充電制御部１５４と、定電圧充電の制御を行う定電圧充電制御部１５５と、から構成されている。
【００３６】
図１の太線の矢印は電流の流れを、細線の矢印は信号の流れをそれぞれ示している。
【００３７】
また、図１において、点線で囲まれるブロック６ａは通信系統制御部６によって制御されるデバイス３、４、５を有する通信系統ブロック、実線によって囲まれるブロック７ａは非通信系統制御部７によって制御されるデバイス９、１０、１１、１２を有する非通信系統ブロックであり、これらのブロック６ａ、７ａの動作状況は各ブロック６ａ、７ａに対応している通信系統制御部６及び非通信系統制御部７によって把握されている。
【００３８】
図２は、通信系統制御部６または非通信系統制御部７から充電回路１５の充電電流制御手段１５３への信号の流れを示すブロック図である。
【００３９】
充電電流制御手段１５３は、通信系統制御部６及び非通信系統制御部７に対して、通信系統ブロック６ａ及び非通信系統ブロック７ａの動作状況の報告を要求する信号２０を発信する。
【００４０】
信号２０を受けた通信系統制御部６及び非通信系統制御部７は、充電電流制御手段１５３に対して、通信系統ブロック６ａ及び非通信系統ブロック７ａの動作状況を示す信号２１を送信する。
【００４１】
例えば、通信系統制御部６からは、「通話中」、「データ通信中」、「待ち受け中」などの動作情報を信号２１として充電電流制御手段１５３に送出する。また、非通信系統制御部７からは、「音楽再生中」「ゲーム中」「スリープ中」などの動作情報を信号２１として充電電流制御手段１５３に送出する。
【００４２】
充電電流制御手段１５３は、通信系統ブロック６ａ及び非通信系統ブロック７ａの動作状況を示す信号２１を受信した後、その動作情報に基づいて、通信系統ブロック６ａ及び非通信系統ブロック７ａの消費電流を推定する。この消費電流の推定は、後述するように、電流値推定テーブルを用いて行われる。
【００４３】
充電電流制御手段１５３は、推定した消費電流値に基づいて、定電流充電時の充電電流値の値を決定し、定充電電流値を変更する信号として充電電流制御信号２２を定電流充電制御部１５４に送信する。
【００４４】
定電流充電制御部１５４は、充電電流制御信号２２を受信した後、基準電圧値を変更することにより、あるいは、他の方法により、定電流充電電流の制御を行う。
【００４５】
以上のように、充電電流制御手段１５３は、通信系統ブロック６ａ及び非通信系統ブロック７ａの動作状況を示す信号２１に基づいて、定電流充電電流の増減量を決定し、定電流充電制御部１５４は、この定電流充電電流の増減量に応じて、基準電圧を段階的に切り替える。
【００４６】
図３は、本発明の第一の実施形態に係る充電制御装置を搭載した携帯電話機１において、電池パック１４に供給する充電電流の値を決定するプロセスにおける各過程を示すフローチャートである。
【００４７】
電池パック１４への充電が開始されると、充電回路１５の充電電流制御手段１５３は、通信系統制御部６及び非通信系統制御部７の双方またはいずれか一方に対して、通信系統ブロック６ａ及び非通信系統ブロック７ａの動作状況を確認するための信号２０を送信する（ステップＡ１）。
【００４８】
充電回路１５の充電電流制御手段１５３は、通信系統ブロック６ａ及び非通信系統ブロック７ａの動作状況を示す信号２１を通信系統制御部６及び非通信系統制御部７から受信すると（ステップＡ２）、信号２１に示される通信系統ブロック６ａ及び非通信系統ブロック７ａの動作状況がそれ以前の動作状況と比較して変化しているか否かを判定する（ステップＡ３）。
【００４９】
通信系統ブロック６ａ及び非通信系統ブロック７ａの動作状況がそれ以前の動作状況に対して変化していない場合には（ステップＡ３のＮＯ）、充電電流制御手段１５３は、一定時間をおいて、再度、通信系統ブロック６ａ及び非通信系統ブロック７ａの動作状況を確認するための信号２０を送信し（ステップＡ１）、通信系統制御部６及び非通信系統制御部７から信号２１を受信する（ステップＡ２）。通信系統ブロック６ａ及び非通信系統ブロック７ａの動作状況がそれ以前の動作状況に対して変化するまで、信号２０の送信及び信号２１の受信を繰り返す。
【００５０】
通信系統ブロック６ａ及び非通信系統ブロック７ａの動作状況がそれ以前の動作状況に対して変化している場合には（ステップＡ３のＹＥＳ）、充電電流制御手段１５３は充電電流の増減量を決定する（ステップＡ４）。
【００５１】
この充電電流の増減量の決定は充電回路１５に格納されている電流値推定テーブルを用いて行われる。
【００５２】
図４に電流値推定テーブルの一例を示す。
【００５３】
この電流値推定テーブルにおいては、図４（Ａ）に示すように、通信系統ブロック６ａに属する無線送受信部３、ベースバンド処理部４及び送話器／受話器５並びに非通信系統ブロック７ａに属するアプリケーションデバイス８、データ入力部９、表示部１０、メモリ１１及びスピーカ１２がそれぞれ動作したときの電流消費量を示す動作レベルとしてレベル０からレベル１５までの１６段階のレベルが設定されており、各動作レベルに対応して充電電流の増加分が予め定められている。すなわち、レベルＮに対応する充電電流の増加分は２０Ｎミリアンペアである。
【００５４】
また、図４（Ｂ）に示すように、通信系統ブロック６ａに属する無線送受信部３、ベースバンド処理部４及び送話器／受話器５がそれぞれ動作したときの動作レベルが規定されている。
【００５５】
例えば、通信系統ブロック６ａが音声通信を行っている場合、すなわち、携帯電話機１が「通話中」である場合には、その動作レベルはレベル１０に相当する。また、この場合、図４（Ａ）に示すように、充電電流の増加分は２００ミリアンペアである。
【００５６】
同様に、図４（Ｃ）に示すように、非通信系統ブロック７ａに属するアプリケーションデバイス８、データ入力部９、表示部１０、メモリ１１及びスピーカ１２がそれぞれ動作したときの動作レベルが規定されている。
【００５７】
例えば、表示部１０がデータの表示を行っている場合には、その動作レベルはレベル３に相当し、この場合の充電電流の増加分は、図４（Ａ）に示すように、６０ミリアンペアである。
【００５８】
また、通信系統ブロック６ａがデータ通信を行っており、かつ、非通信系統ブロック７ａが音楽再生を同時に行っている場合には、「データ通信」の動作レベルはレベル８、「音楽再生」の動作レベルはレベル１０であるため、それぞれ充電電流の増加分は１６０ミリアンペア、２００ミリアンペアである。従って、充電電流の増加分の総和は３６０ミリアンペアである。
【００５９】
以上のようにして、充電電流制御手段１５３が充電電流の増減量を決定すると（ステップＡ４）、充電電流制御手段１５３は、決定した充電電流の増減量を示す信号２２を定電流充電制御部１５４に送信する（ステップＡ５）。
【００６０】
充電電流制御手段１５３から信号２２を受信した定電流充電制御部１５４は、信号２２が示す充電電流の増減量に従って、充電電流を制御する（ステップＡ６）。充電電流の制御は、例えば、基準電圧の切り替えによって行われる。
【００６１】
図５は、充電中における充電電流と充電時間との関係を示すグラフである。
【００６２】
図５に示すように、定抵抗を流れる電流すなわち充電電流ＩＣＨＧ（実線１２１）は通信系統ブロック６ａまたは非通信系統ブロック７ａが消費する電流値ＩＤＤ（一点鎖線１４０）に応じて増加しており、このため、実際に電池パック１４に供給される電流ＩＣＨＧａの値（点線１３１）は一定値になっている。
【００６３】
以上のように、本実施形態に係る充電制御装置を搭載した携帯電話機１においては、携帯電話機１の動作状態に応じて、電池パック１４に供給される充電電流が変動する。このため、電池パック１４に実際に充電される電流値はほぼ一定になり、充電時間の延長を防止することができる。
【００６４】
また、定電流充電における定電流値を任意の電流値に変えることができるので、定電流充電時における上記のように充電電流を制御することによって、容量の異なる電池パックに対しても同様の効果を得ることができる。
【００６５】
図６は、本発明の第一の実施形態に係る充電制御装置を搭載した携帯電話機１において、電池パック１４に供給する充電電流の値を決定する第二のプロセスにおける各過程を示すフローチャートである。
【００６６】
電池パック１４への充電が開始されると、充電回路１５の充電電流制御手段１５３は、通信系統制御部６及び非通信系統制御部７の双方またはいずれか一方に対して、通信系統ブロック６ａ及び非通信系統ブロック７ａの動作状況を確認するための信号２０を送信する（ステップＢ１）。
【００６７】
通信系統制御部６及び非通信系統制御部７は信号２０を受信すると、通信系統ブロック６ａ及び非通信系統ブロック７ａの動作状況がそれ以前の動作状況と比較して変化しているか否かを判定する（ステップＢ２）。
【００６８】
通信系統ブロック６ａ及び非通信系統ブロック７ａの動作状況がそれ以前の動作状況に対して変化していない場合には（ステップＢ２のＮＯ）、通信系統ブロック６ａ及び非通信系統ブロック７ａの動作状況が変化するまで、通信系統制御部６及び非通信系統制御部７は待機する。
【００６９】
通信系統ブロック６ａ及び非通信系統ブロック７ａの動作状況がそれ以前の動作状況と比較して変化があった場合には（ステップＢ２のＹＥＳ）、通信系統制御部６及び非通信系統制御部７は、通信系統ブロック６ａ及び非通信系統ブロック７ａの動作状況を示す信号２１を充電電流制御手段１５３に送信する（ステップＢ３）。
【００７０】
これ以降は、図３に示したステップＡ４、Ａ５、Ａ６と同様に、充電電流の増減量の決定（ステップＢ４）、決定した充電電流の増減量を示す信号２２の定電流充電制御部１５４への送信（ステップＢ５）、充電電流の制御（ステップＢ６）を実施する。
【００７１】
図３に示したフローチャートにおいては、通信系統ブロック６ａ及び非通信系統ブロック７ａの動作状況がそれ以前の動作状況に対して変化していない場合には（ステップＡ３のＮＯ）、充電電流制御手段１５３は、一定時間をおいて、繰り返して、通信系統ブロック６ａ及び非通信系統ブロック７ａの動作状況を確認するための信号２０を通信系統制御部６及び非通信系統制御部７に送信していた（ステップＡ１）。
【００７２】
これに対して、図６に示すフローチャートにおいては、充電電流制御手段１５３は、通信系統制御部６及び非通信系統制御部７に対して、通信系統ブロック６ａ及び非通信系統ブロック７ａの動作状況を確認するための信号２０を一回のみ送信する（ステップＢ１）。信号２０を受信した通信系統制御部６及び非通信系統制御部７は、通信系統ブロック６ａ及び非通信系統ブロック７ａの動作状況がそれ以前の動作状況と比較して変化があった場合にのみ（ステップＢ２のＹＥＳ）、通信系統ブロック６ａ及び非通信系統ブロック７ａの動作状況を示す信号２１を充電電流制御手段１５３に送信する（ステップＢ３）。
【００７３】
図３に示した第一のプロセスにおいては、通信系統ブロック６ａ及び非通信系統ブロック７ａの動作状況が変化してから信号２１が発せられるまでに時間のギャップがあったが、図６に示した第二のプロセスにおいては、通信系統ブロック６ａ及び非通信系統ブロック７ａの動作状況が変化した時点において、通信系統ブロック６ａ及び非通信系統ブロック７ａの動作状況を示す信号２１が充電電流制御手段１５３に送信されるため、時間のギャップなしに、ただちに電池パック１４に供給する充電電流の制御を開始することができる。
【００７４】
【発明の効果】
以上のように、本発明に係る充電制御装置または充電制御方法によれば、携帯電話機の動作状態に応じて、電源に供給される充電電流が変動する。このため、電源に実際に充電される電流値はほぼ一定になり、充電時間の延長を防止することができる。
【００７５】
また、定電流充電における定電流値を任意の電流値に変えることができるので、定電流充電時における充電電流を制御することによって、容量の異なる電源に対しても上記と同様の効果を得ることができる。
【図面の簡単な説明】
【図１】本発明の第一の実施形態に係る充電制御装置を搭載した携帯電話機の構造を示すブロック図である。
【図２】通信系統制御部または非通信系統制御部から充電回路への信号の流れを示すブロック図である。
【図３】本発明の第一の実施形態に係る充電制御装置を搭載した携帯電話機において、電池パックに供給する充電電流の値を決定するプロセスにおける各過程を示すフローチャートである。
【図４】電流値推定テーブルの一例を示す概念図である。
【図５】本発明の第一の実施形態に係る充電制御装置を搭載した携帯電話機において、充電中における充電電流と充電時間との関係を示すグラフである。
【図６】本発明の第一の実施形態に係る充電制御装置を搭載した携帯電話機において、電池パックに供給する充電電流の値を決定する第二のプロセスにおける各過程を示すフローチャートである。
【図７】従来の携帯電話機の一構成例を示すブロック図である。
【図８】図８（Ａ）は従来の携帯電話機における充電時間Ｔと充電電流ＩＣＨＧとの関係を示すグラフであり、図８（Ｂ）は従来の携帯電話機における充電時間Ｔと充電電圧ＶＣＨＧとの関係を示すグラフである。
【図９】電池パックの充電中に電力消費量の大きい機能を動作させた場合における充電電流と充電時間Ｔとの関係を示すグラフである。
【符号の説明】
２　アンテナ
３　無線送受信部
４　ベースバンド処理部
５　受話器及び送話器
６　通信系統制御部
７　非通信系統制御部
８　アプリケーションデバイス
９　データ入力部
１０　表示部
１１　メモリ
１２　スピーカ
１３　電源制御回路
１４　電池パック
１５　充電回路
１６　充電器
１５１　電池電圧検出手段
１５２　充電電流検出手段
１５３　充電電流制御手段
１５４　定電流充電制御部
１５５　定電圧充電制御部
【図１】
2004032304.tif 000003
【図２】
2004032304.tif 000004
【図３】
2004032304.tif 000005
【図４】
2004032304.tif 000006
【図５】
2004032304.tif 000007
【図６】
2004032304.tif 000008
【図７】
2004032304.tif 000009
【図８】
2004032304.tif 000010
【図９】
2004032304.tif 000011